(57)【要約】【課題】  温白色などの中間色を表現できる照明装置及び照明器具を提供する。【解決手段】  少なくとも一つの面に開口部１１ａ−１を有した筐体１１ａと、この筐体１１ａの内部に配置した複数の発光体１３ａとを備え、開口部１１ａ−１を介して発光体１３ａの光を対象物に照射する照明装置１０ａであって、発光体１３ａが、異なる色度の白色を発光する二種類以上の発光体１３ａからなり、対象物を照射する光が、昼光色、昼白色、白色、温白色、電球色のいずれかの色を発する。【選択図】    図１
2010027449.tif 000002
【特許請求の範囲】
【請求項１】
少なくとも一つの面に開口部を有した筐体と、この筐体の内部に配置した複数の発光体とを備え、前記開口部を介して前記発光体の光を対象物に照射する照明装置であって、
前記発光体が、異なる色度の白色を発光する二種類以上の発光体からなり、
前記対象物を照射する光が、昼光色、昼白色、白色、温白色、電球色のいずれかの色を発する
ことを特徴とする照明装置。
【請求項２】
前記二種類以上の発光体が、
色度座標（ｘ＝０．３０、ｙ＝０．３０）付近の白色を発光する第一発光体と、
色度座標（ｘ＝０．３４、ｙ＝０．３５）付近の白色を発光する第二発光体と、
色度座標（ｘ＝０．４６、ｙ＝０．４２）付近の白色を発光する第三発光体
のうちの二種類以上である
ことを特徴とする請求項１記載の照明装置。
【請求項３】
二種類の前記発光体が、前記第二発光体と前記第三発光体からなり、
前記対象物に照射される光が、色温度にもとづく白色又は温白色を発する
ことを特徴とする請求項２記載の照明装置。
【請求項４】
前記第二発光体が、前記第三発光体の３．５倍〜４．５倍の個数を備えて、前記色温度にもとづく白色を発光する
ことを特徴とする請求項３記載の照明装置。
【請求項５】
前記第三発光体が、前記第二発光体の３．５倍〜４．５倍の個数を備えて、前記温白色を発光する
ことを特徴とする請求項３記載の照明装置。
【請求項６】
前記発光体が実装された基板と、
この基板の前記開口部側に、前記開口部に向かって先細りとなるように形成された山形の反射板とを有し、
この反射板が、一又は二以上の窓部を有し、
赤色系及び／又は緑色系の色を発光する発光体が、前記窓部の内側に配置された
ことを特徴とする請求項１〜５のいずれかに記載の照明装置。
【請求項７】
前記発光体が実装された基板と、
この基板から前記筐体の側面に向かって傾斜する反射板とを有し、
この反射板が、一又は二以上の窓部を有し、
赤色系及び／又は緑色系の色を発光する発光体が、前記窓部の後ろ側に配置された
ことを特徴とする請求項１〜５のいずれかに記載の照明装置。
【請求項８】
白色の光を発する前記発光体が実装された第一基板と、
赤色系又は緑色系の光を発する発光体が実装された第二基板とを備え、
前記第二基板が前記第一基板に対して垂直方向に設けられた
ことを特徴とする請求項１〜５のいずれかに記載の照明装置。
【請求項９】
前記第一基板又は第二基板に沿って設けられた反射板を有し、
前記発光体が、前記反射板を介して前記第一基板又は第二基板に実装された
ことを特徴とする請求項８記載の照明装置。
【請求項１０】
前記筐体の開口部に取り付けられた拡散部材を有し、
この拡散部材が、前記第二基板に実装された発光体から光が放出される範囲のうち発光強度の最も強い方向に対して斜めに取り付けられた
ことを特徴とする請求項８又は９記載の照明装置。
【請求項１１】
白色の光を発する発光体が、前記開口部に向かって発光するように、前記基板に実装された
ことを特徴とする請求項１０又は１１のいずれかに記載の照明装置。
【請求項１２】
照明装置を複数備えた照明器具であって、
前記照明装置が、前記請求項１〜請求項１１のいずれかに記載の照明装置を含む
ことを特徴とする照明器具。
【発明の詳細な説明】
【技術分野】
【０００１】
本発明は、筐体内部に配置された複数の発光体を発光させて、対象物に光を照射する照明装置、及び、この照明装置を複数台並べてカバーに収めた照明器具に関し、特に、電飾看板の光源や陳列棚の照明などに有用な照明装置及び照明器具に関する。
【背景技術】
【０００２】
スーパーマーケットやコンビニエンスストアなどの店内には、多数の陳列棚が配置されている。これら陳列棚には、陳列された商品を照明するための照明装置を備えたものが多い。
この照明装置の光源としては、例えば、蛍光灯の直管（蛍光管）がある。蛍光管は、陳列棚の上方の棚板の裏側に、１本または２本並列で配置される。これにより、下段の棚板上の商品を見やすくすることができる。
【０００３】
また、最近では、蛍光管に代えてＬＥＤ（Light  emitting  diode）を用いたものがある。
このＬＥＤを用いた照明装置については、種々の改良技術が提案されている。
例えば、底面が四角形で上面が開放され、側壁が外側に傾斜したトレイ状箱体の底面の少なくとも対向する２隅に、チップ型ＬＥＤが箱体内を照射するように設けられ、一個のＬＥＤの指向方向が底面上の時計回り又は反時計回りに沿う方向となるように、それら複数個のＬＥＤを設けたものがある（例えば、特許文献１、２参照。）。
この技術によれば、設けられたＬＥＤによりトレイ状箱体の全体に均等に光を照射することができる。このため、輝度が大きく、面全体に輝度が均一な面状光源を実現できる。
【０００４】
また、他の技術としては、例えば、２列に配列された白色ＬＥＤ群と、この２列の白色ＬＥＤ群の間に、これら白色ＬＥＤ群に平行して、有色ＬＥＤ群を１列配列し、この有色ＬＥＤ群が、２個の赤色ＬＥＤと、１個の黄色ＬＥＤとを交互に配置した構成としたものがある（例えば、特許文献３参照。）。
この技術によれば、発光色の異なる複数種のＬＥＤを組み合わせて所定の色度の光を得ることができる。このため、陳列物の色彩に与える影響を軽減し、陳列物が自然に近い色彩に見えるようにすることができる。
【０００５】
また、他の技術によれば、例えば、断面がほぼ四角形状で、一面に開口部が形成された筒状体の内部壁面に、対向する壁面に光を放射するように複数のＬＥＤが設けられたものがある（例えば、特許文献４参照。）。
この技術によれば、ＬＥＤが、筒状体の長手方向に一定の間隔で配列され、その開口部から光を放射するように配置されているため、細くて長い電飾看板用の光源として使用できる。
【特許文献１】国際公開ＷＯ２００６／００３９１３号公報
【特許文献２】特開２００７−２０７７５２号公報
【特許文献３】実用新案登録第３１３２２５３号公報
【特許文献４】実用新案登録第３１３７４９８号公報
【発明の開示】
【発明が解決しようとする課題】
【０００６】
しかしながら、上記の各特許文献に記載の技術においては、次のようなことが言える。
例えば、その記載された照明装置においては、蛍光管ではなくＬＥＤを光源として用いていた。これは、ＬＥＤの方が、消費電力が少なくてすみ、小型化を図ることができ、演色性が優れているからであった。
【０００７】
ところが、ＬＥＤを用いた照明装置においては、蛍光管のような昼光色や昼白色の光を出力することができなかった。
特に、色温度にもとづく白色や温白色は、市販のＬＥＤでは発光できなかった。
このため、市場では、ＬＥＤを使用しつつも、昼光色などの中間色を表現できる照明装置の提案を求めていた。
【０００８】
本発明は、上記の事情にかんがみなされたものであり、昼光色などの中間色を表現できる照明装置及び照明器具の提供を目的とする。
【課題を解決するための手段】
【０００９】
この目的を達成するため、本発明の照明装置は、少なくとも一つの面に開口部を有した筐体と、この筐体の内部に配置した複数の発光体とを備え、開口部を介して発光体の光を対象物に照射する照明装置であって、発光体が、異なる色度の白色を発光する二種類以上の発光体からなり、対象物を照射する光が、昼光色、昼白色、白色、温白色、電球色のいずれかの色を発する構成としてある。
【００１０】
また、本発明の照明器具は、照明装置を複数備えた照明器具であって、照明装置が、特許請求の範囲の請求項１〜請求項１１のいずれかに記載の照明装置を含む構成としてある。
【発明の効果】
【００１１】
本発明の照明装置及び照明器具によれば、異なる色度の白色を発光する複数の発光体群のうち一又は二以上の発光体を本体内部に配置することとしたため、所望の色度を得ることができ、昼光色などの中間色を表現できる。
【発明を実施するための最良の形態】
【００１２】
以下、本発明に係る照明装置及び照明器具の好ましい実施形態について、図面を参照して説明する。
【００１３】
［第一実施形態］
まず、本発明の照明装置の第一実施形態について、図１（ｉ）〜（iii）を参照して説明する。
同図（ｉ）は、本実施形態の照明装置の外観を示す正面図である。同図（ii）は、該照明装置の内部構造を示す径方向断面図（（ｉ）に示した照明装置のＡ−Ａ断面図）である。同図（iii）は、該照明装置の内部構造を示す長手方向断面図（（ii）に示した照明装置のＢ−Ｂ断面図）である。
【００１４】
同図（ｉ）〜（iii）に示すように、本実施形態の照明装置１０ａは、筐体を構成する筒状のハウジング１１ａと、このハウジング１１ａの内部に取り付けられた基板１２ａと、この基板１２ａに実装された発光体（発光素子）１３ａと、ハウジング１１ａの正面内側と基板１２ａとを繋ぐように設けられた反射板１４ａと、ハウジング１１ａの正面開口部１１ａ−１を閉塞するように取り付けられた表面シート１５ａ及び拡散シート１６ａとを備えている。
【００１５】
ハウジング１１ａは、径方向断面がほぼ四角形状の筒状体で形成されており、照明装置１０ａのケースを構成している。
このハウジング１１ａは、たとえば、アルミニウムなどの材料を用いて形成することができる。また、引き抜き加工により製造できる。
さらに、ハウジング１１ａは、筒状体の長手方向の長さが１ｍ〜３ｍ、正面（筒状体の四つの面のうち開口部１１ａ−１（後述）が形成された面）の幅が２〜１５ｃｍ、上面及び下面（正面に隣接する各面）の幅が１．５〜２．５ｃｍ、肉厚が１ｍｍ程度に形成できる。なお、本実施形態において、照明装置１０ａの長さや幅等は、ここに挙げた数値とするが、それら数値に限定されるものではなく、照明装置１０ａが取り付けられる什器（陳列棚など）の大きさや形状等に応じて任意に決めることができる。
【００１６】
また、ハウジング１１ａは、少なくとも一つの面に開口部１１ａ−１を有している。
開口部１１ａ−１は、発光体１３ａからの光を外部へ放出するための窓部である。
この開口部１１ａ−１には、発光体１３ａからの光を透過する光透過部材が取り付けられている。具体的には、開口部１１ａ−１の縁部に溝部１１ａ−２が形成されており、この溝部１１ａ−２に光透過部材の外周部が嵌合するようになっている。これにより、光透過部材が支持される。
なお、本実施形態において、光透過部材には、表面シート１５ａと拡散シート１６ａが含まれる。これら表面シート１５ａ等の詳細については、後述する。
【００１７】
また、ハウジング１１ａにおいて開口部１１ａ−１が形成された面（正面）の内側に対向する面（裏面、取付部１１ａ−３）には、突起部１１ａ−４が形成されている。
突起部１１ａ−４は、その突起方向に対して垂直な方向に溝部１１ａ−５が形成されている。この溝部１１ａ−５には、基板１２ａの縁部が嵌合される。これにより、基板１２ａが支持される。
さらに、ハウジング１１ａ−１の長手方向両端部には、側面蓋１１ａ−６が設けられており、これにより両端部が閉塞される。
【００１８】
基板１２ａは、発光体１３ａなどの電子素子や、電気配線などを実装した平板である。
この基板１２ａは、ハウジング１１ａの裏面（取付部１１ａ−３）に近似した大きさに形成されている。これにより、発光体１３ａを、ハウジング１１ａの一方の端部付近から他方の端部付近まで複数配置されることができる。
また、本実施形態においては、すべての発光体１３ａが、一枚の基板１２ａに実装されている。具体的には、例えば、一台の照明装置１０ａに発光体１３ａを３６個設ける場合（図５参照）、これら３６個のすべてを一枚の基板１２ａに実装する。これにより、基板１２ａが複数枚ある場合に比べて、照明装置１０ａの組立て工程の効率化を図ることができる。しかも、基板１２ａの実装費用が安くなり、製品コストを低く抑えることができる。
【００１９】
基板１２ａの両端部には、差し込み式のコネクタ１２ａ−１がそれぞれ配設されている。これらのうち、一方の端部には雌のコネクタ１２ａ−１が配設され、他方の端部には雄のコネクタ１２ａ−１が配設されている。
これらコネクタ１２ａ−１を配設したことで、照明装置１０ａを複数本連結させることができる。例えば、照明装置１０ａの長手方向の長さを１ｍで形成した場合に、それよりも長い照明装置１０ａが必要となったときは、この照明装置１０ａを複数本用意し、各照明装置１０ａの側面蓋１１ａ−５を取り外し、一の照明装置１０ａのコネクタ１２ａ−１と、他の照明装置１０ａのコネクタ１２ａ−１とを接続して継ぎ足していくことで、所望の長さの照明装置１０ａを得ることができる。
【００２０】
発光体１３ａは、当該照明装置１０ａの光源である。この発光体１３ａには、例えば、チップ型ＬＥＤを用いることができる。
チップ型ＬＥＤは、図２に示すように、リードフレームにより形成された二本のリード１３ａ−１，１３ａ−２の一方にＬＥＤチップ１３ａ−３をマウントして、ワイヤ１３ａ−４によりワイヤボンディングをし、その周囲をモールド樹脂１３ａ−５によりモールドし、正面にレンズ１３ａ−６を形成してある。
このように、発光体１３ａにＳＭＤ（Surface  Mount  Device）タイプのＬＥＤ（チップタイプ）を使用することで、拡散シート１６ａまでの距離を長くとることができる。これにより、発光体１３ａが点状光源（ＬＥＤ）であっても、蛍光管のように均一に表面シート１５ａから発光させることができ、対象物に点状の白色光が写り込まないようにすることができる。
【００２１】
また、発光体１３ａ，２３ａ−１は、パワー系ＬＥＤを用いることができる。この場合、ヒートシンクによる放熱が必要となるが、反射板１４ａ，２２ａがアルミ基材のため、放熱効果が期待でき、ヒートシンクを備える必要がなくなる。これにより、部品点数を少なくでき、しかも、ヒートシンクを備えるためのスペースを確保する必要がなくなる。
【００２２】
そして、発光体１３ａは、配線（図示せず）が形成された基板１２ａのスルーホールに発光体１３ａのリード１３ａ−１，１３ａ−２が挿入され、ハンダ付けなどにより接続される。
なお、本実施形態において発光体１３ａは、図２に示すような構造とするが、この構造に限るものではなく、種々の発光体１３ａを用いることができる。例えば、正面にレンズの無い構造のものでもよく、また、絶縁基板上にＬＥＤチップをマウントして樹脂で被覆する構造のチップ型発光体でもよい。さらには、樹脂部をドーム状にしたランプ型のＬＥＤを用いたもの、横向きに光を放射するサイドビュータイプのもの、半導体ウェハからチップ化されたままのベアチップだけのもの、などを用いることもできる。
【００２３】
この発光体１３ａには、白色発光のＬＥＤが用いられる。
白色発光ＬＥＤは、青色または紫外光のＬＥＤチップの表面に、白色光に変換する物質（蛍光物質）を含有する樹脂を被覆したＬＥＤである。この白色発光ＬＥＤは、Ｒ，Ｇ，Ｂの各ＬＥＤを組み合わせて白色光を得るように実装した場合に比べて、より安価にできる。
【００２４】
また、明るさや演色性についても、次のように優れた効果を奏する。
白色発光ＬＥＤの中には、青ＬＥＤに赤や緑の蛍光体を塗布したタイプのものや、近紫外ＬＥＤとＲ，Ｇ，Ｂ蛍光体とを組み合わせたタイプのものが存在する。これらは、演色は高いものの、増感性が低く、ＬＥＤそのものがかなり暗いものとなっていた。
これに対し、本実施形態の照明装置１０ａは、青ＬＥＤと黄色発光蛍光体（ＹＡＧ）から構成される白色ＬＥＤを採用した。この白色ＬＥＤは、白色発光ＬＥＤの中でも最大の明るさの光を放出できる。そして、その白色ＬＥＤからの光と赤／緑ＬＥＤからの光とを混色させることとした。これにより、演色性を向上でき、しかも、同じ消費電力でより明るい光を放出できる。
【００２５】
また、この白色発光ＬＥＤは、商品を照らすメインの光源として用いられる。このため、当該ＬＥＤは、開口部１１ａ−１の内側に対向する位置に設けられている。
ただし、開口部１１ａ−１を介して当該ＬＥＤからの光を直接商品に照射すると、商品に含まれているビニールや金属などの反射しやすい物質にＬＥＤの光源が映り込み、点状の反射光が生じてしまう。これにより、商品を観察する者にとっては、その商品が見づらくなる。
そこで、本実施形態では、開口部１１ａ−１に拡散シート１６ａを取り付けた。また、この拡散シート１６ａとＬＥＤとの距離を１５ｍｍ程度とした。さらに、ＬＥＤの配置を少なくとも２列とし、その列幅を１５ｍｍ程度とした。そして、ハウジング１１ａの長手方向に並ぶＬＥＤのピッチを１５ｍｍ程度とした。しかも、ＬＥＤからの光が拡散シート１６ａに集まるように反射板１４ａを設けた。
これにより、拡散シート１６ａでは、各ＬＥＤからの光の強さが全体にほぼ等しくなる。このことから、拡散シート１６ａにスポットが現れなくなり、スポットが商品に映り込むことがなくなる。このため、商品を見ている者にとっては、照明装置１０ａの存在を気にすることなく、明るい照度で商品を見ることができる。
なお、発光体１３ａの表面から光を放射するビームの指向角度は、白色発光のＬＥＤでは１００°〜１３０°程度であることが好ましい。
【００２６】
また、発光体１３ａは、一枚の基板１２ａに複数個を複数列で実装することができる。これら複数個の発光体１３ａは、同一の色度の白色を発光する一種類の発光体１３ａ、又は、異なる色度の白色を発光する二種類以上の発光体１３ａで構成されている。
色度とは、ｘｙ色度図においてその色を表す座標（ｘ，ｙ）をいう。
ｘｙ色度図において、白色は、黒体輻射の色軌跡（Blackbody  Locus）における色温度２８６５Ｋから無限大（∞）付近に相当する。これを色度で表すと、（0.255，0.275）−（0.271，0.257）−（0.382，0.358）−（0.399，0.412）で囲まれた領域を含む範囲に相当する。
【００２７】
発光体１３ａについて種類とは、ｘｙ色度図における白色の範囲を複数の領域で区切ったときの各領域（ランク）をいう。つまり、二種類以上の発光体１３ａとは、ｘｙ色度図における異なる領域の白色を発光する二以上の発光体１３ａをいう。
白色の領域（ランク）は、任意に定めることができる。ただし、本実施形態においては、図３及び図４に示すように定める。
なお、図３は、ＸＹ色度図において設定した領域を示す図である。また、図４は、図３で設定された領域の拡大図である。
【００２８】
図３及び図４に示すように、例えば、黒体軌跡に対して偏差が＋△ｕｖをランクａ、−△ｕｖをランクｂとする。
また、色温度∞〜１５０００Ｋをランク１、１５０００Ｋ〜８７００Ｋをランク２、８７００Ｋ〜５６００Ｋをランク３、５６００Ｋ〜４８００Ｋをランク４、４８００Ｋ〜３８００Ｋをランク５、３８００Ｋ〜３２００Ｋをランク６、３２００Ｋ〜２５００Ｋをランク７とする。
さらに、ランクａにおけるランク１をランクａ１、ランクａにおけるランク２をランクａ２、ランクｂにおけるランク１をランクｂ１、ランクｂにおけるランク２をランクｂ２とする。以下、ランク３〜ランク７におけるランクａ，ランクｂについても、同様である。
このように、白色の領域（ランク）は、色温度と偏差によって定めることができる。
なお、図３及び図４においては、偏差の範囲は、±０．０１ｕｖとしたが、この値に限るものではなく、±０．０２ｕｖなど、任意の値とすることができる。
【００２９】
また、白色の領域（ランク）は、ｘｙ色度図上で決まることから、各領域を色度座標で表すことができる。
具体的には、例えば、ランクａ１は、（0.243，0.238）−（0.264，0.267）−（0.255，0.275）−（0.233，0.244）で囲まれた領域とすることができる。ランクａ２は、（0.264，0.267）−（0.289，0.295）−（0.282，0.310）−（0.255，0.275）で囲まれた領域とすることができる。ランクａ３は、（0.289，0.295）−（0.330，0.338）−（0.330，0.361）−（0.282，0.310）で囲まれた領域とすることができる。ランクａ４は、（0.330，0.338）−（0.354，0.358）−（0.355，0.382）−（0.330，0.361）で囲まれた領域とすることができる。ランクａ５は、（0.354，0.358）−（0.389，0.382）−（0.400，0.412）−（0.355，0.382）で囲まれた領域とすることができる。ランクａ６は、（0.389，0.382）−（0.422，0.398）−（0.435，0.432）−（0.400，0.412）で囲まれた領域とすることができる。ランクａ７は、（0.422，0.398）−（0.475，0.411）−（0.497，0.448）−（0.435，0.432）で囲まれた領域とすることができる。
【００３０】
また、例えば、ランクｂ１は、（0.250，0.232）−（0.271，0.257）−（0.264，0.267）−（0.243，0.238）で囲まれた領域とすることができる。ランクｂ２は、（0.271，0.257）−（0.293，0.283）−（0.289，0.295）−（0.264，0.267）で囲まれた領域とすることができる。ランクｂ３は、（0.293，0.283）−（0.330，0.322）−（0.330，0.338）−（0.289，0.295）で囲まれた領域とすることができる。ランクｂ４は、（0.330，0.322）−（0.355，0.340）−（0.354，0.358）−（0.330，0.338）で囲まれた領域とすることができる。ランクｂ５は、（0.355，0.340）−（0.385，0.359）−（0.389，0.382）−（0.354，0.358）で囲まれた領域とすることができる。ランクｂ６は、（0.385，0.359）−（0.412，0.371）−（0.422，0.398）−（0.389，0.382）で囲まれた領域とすることができる。ランクｂ７は、（0.412，0.371）−（0.458，0.383）−（0.475，0.411）−（0.422，0.398）で囲まれた領域とすることができる。
【００３１】
本実施形態では、これら領域のうち、ｂ３ランク（色度座標（0.30，0.30）付近の白色）の発光体１３ａを第一発光体、ａ４ランク（色度座標（0.34，0.35）付近の白色）の発光体１３ａを第二発光体、ａ７ランク（色度座標（0.46，0.42）付近の白色）の発光体１３ａを第三発光体とする。
そして、これら第一〜第三発光体のうちの一又は二以上の発光体を選んで基板１２ａに実装することで、色温度の異なる白色のいずれかを表面シート１６ａから発光させることができる（対象物に照射することができる）。
なお、色温度の異なる白色には、昼光色（色温度６５００Ｋ）、昼白色（５０００Ｋ）、白色（４２００Ｋ）、温白色（３５００Ｋ）、電球色（３０００Ｋ）が含まれる。
【００３２】
ここで、発光体１３ａの実装例を、図５（ｉ）〜（vi）を参照して説明する。
同図（ｉ）は、基板１２ａに発光体１３ａが複数個（同図においては、３６個）実装された様子を示す正面図である。同図（ii）〜（iv）は、一種類の発光体１３ａの実装例を示す図である。同図（ｖ）〜（vi）は、二種類以上の発光体１３ａの実装例を示す図である。
例えば、同図（ii）に示すように、一種類の発光体１３ａとして第一発光体（ｂ３）を複数個実装すると、昼光色の光を対象物に照射することができる。なお、発明者による色温度の実測値は、６４００Ｋであった。
また、同図（iii）に示すように、一種類の発光体１３ａとして第二発光体（ａ４）を複数個実装すると、昼白色を発光する。このときの色温度の実測値は、４８００Ｋであった。
さらに、同図（iv）に示すように、一種類の発光体１３ａとして第三発光体（ａ７）を複数個実装すると、電球色を発光する。このときの色温度の実測値は、３００３Ｋであった。
【００３３】
そして、同図（ｖ），（vi）に示すように、第二発光体（ａ４）と第三発光体（ａ７）とを組み合わせて実装すると、色温度にもとづく白色又は温白色を発光する。
これらのうち、同図（ｖ）に示すように、第二発光体（ａ４）を２９個、第三発光体（ａ７）を７個実装すると、色温度にもとづく白色を発光する。このときの色温度の実測値は、４２００Ｋであった。
また、同図（vi）に示すように、第二発光体（ａ４）を７個、第三発光体（ａ７）を２９個実装すると、温白色を発光する。このときの色温度の実測値は、３５００Ｋであった。
【００３４】
このように、第二発光体（ａ４）を第三発光体（ａ７）の約４倍（３．５〜４．５倍）の個数で実装すると、色温度にもとづく白色を発光する。
また、第三発光体（ａ７）を第二発光体（ａ４）の約４倍（３．５〜４．５倍）の個数で実装すると、温白色を発光する。
【００３５】
このように、色度の異なる白色の複数種類の発光体のうちから一種類又は二種類以上を選んで二列配置または混色配列し、白発泡樹脂乱反射素材の反射板１４ａを使って混色照明させることで、温白色などの中間色を表現できる。これにより、市場が求める昼光色，昼白色，白色，温白色，電球色といった光照明を照明装置で実現できる。
また、ｂ３，ａ４，ａ７の三つのランクの白色発光体を用意するだけで、昼光色などの五種類の白色を表現できる。
【００３６】
なお、図５（ｖ）においては、ａ７ランクの発光体１３ａをほぼ等間隔（２つおき）に配置した。また、同図（vi）においては、ａ４ランクの発光体１３ａをほぼ等間隔（２つおき）に配置した。ただし、ａ７ランク又はａ４ランクの発光体１３ａは、同図（ｖ），（vi）の配置に限るものではなく、表面シート１５ａから白色又は温白色の光が発せられるのであれば、その配置を任意に決めることができる。
【００３７】
また、白色発光ＬＥＤ１３ａが複数のロットで製造される場合に、種々の組み合わせで同一の中間色を表現できる。
例えば、ロットとして、Ａ１ａ、Ａ１ｂ、Ｂ１ａ、Ｂ１ｂ、Ｃ１ａ、Ｃ１ｂがある場合に、Ａ１ａ：４個、Ａ１ｂ：２個、Ｂ１ａ：０個、Ｂ１ｂ：０個、Ｃ１ａ：０個、Ｃ１ｂ：２個の組み合わせが考えられる。
また、Ａ１ａ：０個、Ａ１ｂ：０個、Ｂ１ａ：４個、Ｂ１ｂ：２個、Ｃ１ａ：２個、Ｃ１ｂ：０個の組み合わせも考えられる。
【００３８】
このように、複数のロットで製造された白色発光ＬＥＤ１３ａがある場合において、同一の中間色を表現するときには、それら複数のロットの中から種々の組み合わせを行うことができる。これにより、特定のロットだけ多く使用されて、他のロットはほとんど使用されないといった偏りを無くして、どのロットもほぼ均等に使用することができる。つまり、コストパフォーマンスを向上させることができる。
【００３９】
しかも、二種類以上の発光体の様々な組み合わせにより、温白色や白色だけでなく、昼光色，昼白色，電球色についても発光させることができる。
例えば、色度（Ｘ0.438／Ｙ0.401）の電球色ＬＥＤと、色度（Ｘ0.342／Ｙ0.363）の昼白色ＬＥＤと、色度（Ｘ0.291／Ｙ0.293）の昼光色ＬＥＤがある場合に、電球色ＬＥＤを１個、昼白色ＬＥＤを２個、昼光色ＬＥＤを３個を実装することで、昼白色の光を対象物にあてることができる。
また、電球色ＬＥＤを２個、昼白色ＬＥＤを２個、昼光色ＬＥＤを３個を実装することで、白色の光を対象物にあてることができる。
さらに、電球色ＬＥＤを４個、昼白色ＬＥＤを１個、昼光色ＬＥＤを３個を実装することで、温白色の光を対象物にあてることができる。
【００４０】
また、パワーＬＥＤを用いた従前のバックライト式の壁面サイン（照明装置）においては、経年トラブル時には、広いピッチでＬＥＤの数を減らし、配光をレンズによる均一化とするものが多かった。しかし、このタイプでは、経年トラブル時にＬＥＤを交換することが難しかった。理由としては、輝度劣化による周囲のＬＥＤと相関性が取れないため、新しいＬＥＤを付け替えた場合、異常発光でバランスが取れなくなる。また、薄型パネルライトの場合には、色ばらつきでの高い精度が得られにくい。
これに対し、本実施形態の壁面サイン（照明装置１０ａ）は、色度の異なる白色を発光する複数種類のＬＥＤを組み合わせて混色させる事が出来、経年トラブル時に新しい１個のＬＥＤを交換しても、個数分の１の輝度アップ又はダウンにしかならず、従前の壁面サイン（照明装置）のＬＥＤ異常発光にはならない点で優れている。
【００４１】
また、発光体１３ａを点灯させるための電気配線は、図６に示すようになっている。すなわち、所定数（例えば、６個）の発光体１３ａを１組として直列に接続し、各組に所定の直流電圧（例えば、２４Ｖ）が印加されるように複数組（例えば、６組）を並列に接続してある。
さらに、各組ごとに、ＩＣ（Integrated  Circuit）と抵抗Ｒ１が接続されている。ＩＣは、発光体１３ａが温度上昇などによって電流が変動しやすいため、温度が変化しても定電流を維持するためのものである。抵抗Ｒ１は、各発光体１３ａの動作電圧にバラツキがあり、２４Ｖの電圧に合わない場合に、各発光体１３ａに印加される電圧が所定電圧になるように調整するためのものである。
【００４２】
なお、図６に示す電気回路の場合、各組ごとに、２４Ｖが印加され、２６〜３０ｍＡ程度の電流が流れる。このときの入力電力は、１枚の基板１２ａで、３．６〜４．１Ｗとなる。
通常の２４Ｗの蛍光管の長さは、基板１２ａの３枚分の長さに相当する。このため、本実施形態の照明装置１０ａを用いて通常の蛍光管が照明可能な範囲を照明するには、１０．８〜１２Ｗが必要となる。
一方、光が照射される商品位置での照度は、蛍光管も三台の照明装置１０ａもほぼ同じで、１７００〜１８００ルクス（lux）程度となる。
これらより、照明装置１０ａは、蛍光管のほぼ半分以下の電力で同程度の照度を得ることができる。
【００４３】
反射板１４ａは、発光体１３ａから発せられた光を反射して拡散シート１６ａに集めるための板状部材（リフレクタ）である。この反射板１４ａには、例えば、白発泡樹脂乱反射素材を用いることができる。
この反射板１４ａは、底辺が基板１２ａに取り付けられ、上辺が開口部１１ａ−１の縁部付近に達している。これにより、発光体１３ａから発光された光のほとんどを拡散シート１６ａに集めることができ、強い輝度で表面シート１５ａから光を放出させることができる。
なお、ハウジング１１ａの内側表面が良好な反射面に形成されているときは、反射板１４ａを省略できる。
【００４４】
表面シート１５ａは、拡散シート１６ａを保護するためのシートである。
拡散シート１６ａは、開口部１１ａ−１を閉塞するように設けられたシートである。
この拡散シート１６ａは、例えば、アクリル樹脂（メタクリル酸メチル樹脂（ＰＭＭＡ：Polymethylmethacrylate）など）、ポリエチレンテレフタレート（ＰＥＴ：Polyethylene  terephthalate）、ポリカーボネート（Polycarbonate）などの材料を用いて形成できる。また、薄いビニールシート（例えば、ＦＦシート：ＦＬＥＸＦＡＣＥ（登録商標））などの拡散シートまたは乳白色シートを用いることもできる。さらに、３ｍｍ程度の厚さで形成できる。
この拡散シート１６ａは、垂直方向だけでなく斜め方向から入射した光でも表面であらゆる方向に均一に放射する機能を有している。つまり、この拡散シート１６ａは、発光体１３ａから光を入射すると、同シートの一部に輝度が偏らないようにしながら、それを間接光として放出する。
【００４５】
なお、本実施形態の照明装置１０ａを棚什器用ではなく電飾看板の光源として用いる場合には、発光体１３ａからの光が減衰しないように、光透過部材として透過光調整シート（後述）あるいは光拡散板（後述）などを用いることが好ましい。この場合、拡散シート１６ａは、省略できる。
これに対し、什器に陳列された商品を直接照らす照明用として用いる場合には、拡散シート１６ａを設けて間接光にする方が、光源の映り込みを防止する観点からも好ましい。
【００４６】
透過光調整シート（図示せず）は、発光体１３ａに近い部分では小さい面積の光透過領域が形成され、発光体１３ａから遠い部分では大きい面積の光透過領域が形成され、その他の部分は、光反射膜が形成されている。これにより、発光体１３ａから発せられた光は、透過光調整シートの光反射膜及びハウジング１１ａの内面で反射をしながら光透過領域から放出される。ここで、発光体１３ａの近くで光量の多い部分ではわずかな面積からしか放出されず、発光体１３ａから離れて光量が少ない部分では大きな面積から放出される。このため、透過光調整シートの全面でほぼ均一な光が放射される。
この透過光調整シートは、例えば、ＰＥＴなどの透明シートに銀膜などの光反射膜を全面に形成し、エッチングなどによりその一部除去することで光透過領域を形成することができる。
【００４７】
光拡散板（図示せず）は、例えば、通称「乳半」と呼ばれる乳白色のアクリル樹脂（ＰＭＭＡ）、ＰＥＴ、ポリカーボネート、ガラスなどの板状体を用いることができる。
この光拡散板は、斜め方向からきた光でも表面であらゆる方向に均一に放射されるようにする機能を有している。
この光拡散板は、３ｍｍ厚程度で形成できる。ただし、斜め方向から入射した光でも指向性のない光として放射できるように、できるだけ厚い方が好ましい。
【００４８】
なお、下方の透過光調整シートから放射される光のムラがほとんど無いときは、この光拡散板に代えて、薄いビニールシート（ＦＦシート）などの光拡散シートまたは乳白色シートを用いることができる。
また、光拡散板上に光を集光させるプリズムを設けることにより、表面輝度を倍程度に向上させることができる。
【００４９】
照明装置をこのような構成とすれば、同じ色度の白色の光を発する一種類の発光体、又は、色度の異なる白色の光を発する二種類以上の発光体を二列配置または混色配列し、白発泡樹脂乱反射素材のリフレクタを使って混色照明させることで、色温度にもとづく中間色を表現できる。これにより、市場が求める昼光色，昼白色，白色，温白色，電球色といった光照明を本実施形態の照明装置で実現できる。
【００５０】
［第二実施形態］
次に、本発明の照明装置の第二の実施形態について、図７（ｉ）〜（iii）を参照して説明する。
同図（ｉ）は、本実施形態の照明装置の内部構造を示す径方向断面図である。同図（ii）は、同照明装置の内部構造を示す長手方向断面図（（ｉ）に示した照明装置のＣ−Ｃ断面図）である。同図（iii）は、同照明装置の内部構造を示す長手方向断面図（（ii）に示した照明装置から側方反射板と山形反射板を取り除いた状態のＣ−Ｃ断面図）である。
【００５１】
本実施形態は、第一実施形態と比較して、発光体及び反射板の構成が相違する。すなわち、第一実施形態では、白色の発光体を二列で配列し、ハウジングの開口部縁部近傍と基板との間に反射板を備えたのに対し、本実施形態では、白色の他に、赤色と緑色の発光体を配列し、この上方に山形の反射板を備えている。他の構成要素は第一実施形態と同様である。
したがって、図７において、図１と同様の構成部分については同一の符号を付して、その詳細な説明を省略する。
【００５２】
図７に示すように、照明装置１０ｂは、ハウジング１１ｂと、基板１２ｂと、発光体１３ｂと、反射板１４ｂと、表面シート１５ｂと、拡散シート１６ｂとを備えている。
ここで、ハウジング１１ｂ、基板１２ｂ、表面シート１５ｂ、拡散シート１６ｂは、第一実施形態におけるハウジング１１ａ、基板１２ａ、表面シート１５ａ、拡散シート１６ａと同様の構成を有している。
【００５３】
発光体１３ｂは、ＬＥＤで構成することができる。
この発光体１３ｂは、白色ＬＥＤ１３ｂ−１と、赤色ＬＥＤ１３ｂ−２と、緑色ＬＥＤ１３ｂ−３とを有している。
なお、図７（ii），（iii）においては、白色ＬＥＤ１３ｂ−１を「Ｗ」、赤色ＬＥＤ１３ｂ−２を「Ｒ」、緑色ＬＥＤ１３ｂ−３を「Ｇ」で表す。
【００５４】
白色ＬＥＤ１３ｂ−１は、図７（ｉ）〜（iii）に示すように、基板１２ｂの上面に、複数個を一列として二列で配置されている。また、一列における白色ＬＥＤ１３ｂ−１の各間は、ほぼ等間隔（例えば、１５ｍｍ間隔）で配置することができる。
この白色ＬＥＤ１３ｂ−１は、ＳＭＤタイプのＬＥＤ（チップタイプ）を使用することができる。これにより、拡散シート１６ｂまでの距離を長くできる。このことから、点状光源であるにもかかわらず、蛍光管のように、均一発光させやすくできる。しかも、対象物に白色光の点々が写り込まない。
【００５５】
また、白色ＬＥＤ１３ｂ−１は、色度又はランクが同じ白色を発光する一種類のＬＥＤを用いることができる。また、色度又はランクが異なる白色を発光する複数種類のＬＥＤを用いることができる。後者の場合は、図５（ii）〜（vi）に示した配置パターンで配置することができる。これにより、昼光色や温白色など色温度の異なる種々の中間色の白色を表面シート１５ｂから発光させることができる。
すなわち、本実施形態の照明装置１０ｂは、第一実施形態の照明装置１０ａと同様に、２種の色ランクの白色ＬＥＤ１３ｂ−１を混色配列させ、白発泡樹脂乱反射素材の反射板１４ｂを使い、混色照明させることで、表面シート１５ｂからは、温白色などの中間色を表現できる。これにより、市場が求める昼光色、昼白色、白色、温白色、電球色の各光照明は、ランクの異なる３種類の白色ＬＥＤの組み合わせにより表現可能である。
【００５６】
赤色ＬＥＤ１３ｂ−２と緑色ＬＥＤ１３ｂ−３は、図７（iii）に示すように、基板１２ｂの長手方向に沿って列をなして配置されている。この列は、基板１２ｂの上面に、二列で平行に配置されている。それら二列のそれぞれにおいては、赤色ＬＥＤ１３ｂ−２と緑色ＬＥＤ１３ｂ−３が交互に配置されている。さらに、これら二列は、複数の白色ＬＥＤ１３ｂ−１で構成された二列の間に、それら白色ＬＥＤ１３ｂ−１で構成された二列に平行して配置されている。
【００５７】
また、赤色ＬＥＤ１３ｂ−１及び緑色ＬＥＤ１３ｂ−３の一つ一つは、光の指向方向が基板１２ｂの幅方向とほぼ同じ向き（光の指向方向が基板１２ｂに対して水平方向）になるように取り付けられている。また、各列間で隣接するＬＥＤ同士は、光の指向方向がそれぞれ反対方向となるように取り付けられている。
さらに、赤色ＬＥＤ１３ｂ−２と緑色ＬＥＤ１３ｂ−３で構成される二列は、図７（ｉ）に示すように、山形反射板１４ｂ−２（後述）の内側に配置されている。
【００５８】
また、白色ＬＥＤ１３ｂ−１、赤色ＬＥＤ１３ｂ−２、緑色ＬＥＤ１３ｂ−３は、一枚の基板１２ｂにすべて実装されている。このため、複数枚の基板１２ｂにそれぞれ発光体１３ｂを実装した場合に比べて、製造効率を高めることができる。しかも、照明装置１０ｂの構造を簡素化でき、照明装置１０ｂの厚みをスリムにでき、実装費用を安くでき、製品コストを抑えることができる。
【００５９】
なお、白色ＬＥＤ１３ｂ−１によって昼光色などの中間色を表現した場合において、赤色ＬＥＤ１３ｂ−２や緑色ＬＥＤ１３ｂ−３などの有色ＬＥＤを点灯したときは、その中間色の色温度に多少の変化が見られるものの、大きく変化することはない。
これは、白色ＬＥＤ１３ｂ−１が直接照明であるのに対し、有色ＬＥＤが間接照明であること、白色ＬＥＤ１３ｂ−１からの光が拡散シート１６ｂに直接届くのに対し、有色ＬＥＤからの光が反射板１４ｂで反射してから拡散シート１６ｂに届くこと、白色ＬＥＤ１３ｂ−１の個数が赤色ＬＥＤ１３ｂ−２（又は、緑色ＬＥＤ１３ｂ−３）の個数の倍になっていること、白色ＬＥＤ１３ｂ−１の輝度が赤色ＬＥＤ１３ｂ−２（又は、緑色ＬＥＤ１３ｂ−３）の輝度よりも高くなっていることなどがその理由である。
【００６０】
また、発光体１３ｂについては、色ごとにＯＮ／ＯＦＦの切り替え動作（スイッチ機能）を行うことができる。
特に、本実施形態の発光体１３ｂは、ＬＥＤを用いており、蛍光管照明と異なって単波長のため、下記の目的に合わせて、スペクトルを微調整したり、波長のもつ特性を使い分けたりすることができる。
【００６１】
(i)演色性を上げる製品目的
・０レンジ（赤／緑点灯無し）
光に青味成分が強くなる。鯖などの青魚にこの光を照射すると、鮮度を向上して見せることができる。
・１レンジ（赤／緑、定格電流約２分の１程度）
光に青味成分、赤味成分、緑成分などが入り、オールマイティな照明光となる。
・２レンジ（赤／緑、最大定格電流）
光に赤味成分や緑成分が多く入る。赤味系の魚、果物、衣類等にこの光を照明すると、購買意欲を損なうことなく、演色性と表現力を強調できる。
【００６２】
(ii)畜産仕様
発光体１３ｂとして、白ａ４ランクを３０個、白ｂ３ランクを６個、赤を６個、緑を２個、をそれぞれ実装する。
この構成において、上記の０レンジ〜２レンジの段階調整を行うこと。これにより、肉類の照明鮮度を向上させることができる等、陳列品の用途に応じてきめ細やかな光調整が可能となる。
【００６３】
(iii)水産仕様
発光体１３ｂとして、白ａ４ランクを１８個、白ｂ３ランクを１８個、赤を８個、緑を０個、をそれぞれ実装する。
この構成において、上記の０レンジ〜２レンジの段階調整を行うこと。これにより、魚類の照明鮮度を向上させることができる等、陳列品の用途に応じてきめ細やかな光調整が可能となる。
【００６４】
(iii)農産仕様
発光体１３ｂとして、白ａ４ランクを３３個、白ｂ３ランクを３個、赤を５個、緑を３個、をそれぞれ実装する。
この構成において、上記の０レンジ〜２レンジの段階調整を行うこと。これにより、乳製品等の照明鮮度を向上させることができる等、陳列品の用途に応じてきめ細やかな光調整が可能となる。
【００６５】
また、発光体１３ｂにＬＥＤアンバー色（橙色）をプラスすることで、ビタミン成分を増やし、栄養価を高める波長照射を行うことができる。
さらに、ＬＥＤブルー色（青色）は、殺菌効果のある波長照射を、閉店から開店まで行うことで、鮮度を維持させることができる。
【００６６】
また、電気的に電力を上げずに、光学的にプリズムによる指向性をもたせて、照度を上げることができる。発明者による実験では、電力上昇なしで、約２０〜２５％程度の照度が上がった。
さらに、百貨店やスーパーマーケットなど、照射エリアが比較的広く、照明装置１０ｂの取り付け位置が高い場合は、レンズ付きのＬＥＤを使用することができる。例えば、６０度配光、４０度配光などがある。
【００６７】
反射板１４ｂは、側方反射板１４ｂ−１と、山形反射板１４ｂ−２とを有している。
側方反射板１４ｂ−１は、第一実施形態における反射板１４ａと同様の構造である。
山形反射板１４ｂ−２は、図７（ｉ），（ii）に示すように、基板１２ｂの長手方向の長さとほぼ同じ長さを有しており、断面が「∧」の記号のように、上方に向かって先細りした形状に形成された反射板である。すなわち、山形反射板１４ｂ−２は、二枚の反射板が基板１２ｂの上面から傾斜をもって立設し、拡散シート１６ｂの近傍でそれら二枚の反射板の各上辺が接合した形状となっている。
【００６８】
また、山形反射板１４ｂ−２は、赤色ＬＥＤ１３ｂ−１と緑色ＬＥＤ１３ｂ−２で構成された二つの列の全体を覆い隠すように設けられている。つまり、赤色ＬＥＤ１３ｂ−１と緑色ＬＥＤ１３ｂ−２は、山形反射板１４ｂ−２を構成する二枚の反射板の内側に配設されている。
山形反射板１４ｂ−２を構成する二枚の反射板には、長手方向に沿って複数の窓部１４ｂ−２１が列をなして形成されている。この窓部１４ｂ−２１は、赤色ＬＥＤ１３ｂ−１及び緑色ＬＥＤ１３ｂ−２の個数と同数形成されている。そして、窓部１４ｂ−２１は、赤色ＬＥＤ１３ｂ−１あるいは緑色ＬＥＤ１３ｂ−２の光の指向方向に合わせて形成されている。このため、赤色ＬＥＤ１３ｂ−１等から発せられた光は、窓部１４ｂ−２１を通って側方反射板１４ｂ−１に達し、ここで反射して拡散シート１６ｂに到達する。
【００６９】
なお、窓部１４ｂ−１は、同図（ii）においては、四角形状に形成されているが、この形状に限るものではなく、円形，楕円形，三角形，多角形などであってもよい。
また、窓部１４ｂ−１は、同図（ii）においては、孔状に形成されているが、孔状に限るものではなく、切り欠きであってもよい。
【００７０】
このように、本実施形態の照明装置１０ｂは、赤色ＬＥＤ１３ｂ−１と緑色ＬＥＤ１３ｂ−２を基板１２ｂの中央の山形反射板１４ｂ−２の内部に配置し、水平方向に発光させて、反射板１４ｂに反射させる構成とした。このため、白色ＬＥＤのみの場合の陳列物の色のくすみをなくし、陳列物が自然に近い色彩に見えるようにして、演色性の効果を上げることができる。
また、赤色ＬＥＤ１３ｂ−１や緑色ＬＥＤ１３ｂ−２からの発光を間接照明とし、山形や側方の反射板１４ｂを設け、ハウジング１１ｂの開口部１１ｂ−１に拡散シート１６ｂを取り付けたことで、それら赤色ＬＥＤ１３ｂ−１等の点光源色イメージが対象物に写ることがなく、赤味成分又は緑成分を強くした光を照射することができる。
【００７１】
なお、図７（ｉ），（iii）に示す赤色ＬＥＤ１３ｂ−１と緑色ＬＥＤ１３ｂ−２は、砲弾型ＬＥＤを用いることとしたが、砲弾型ＬＥＤに限定されるものではなく、例えば、図８（ｉ），（ii）に示すサイドビューＬＥＤ、図９（ｉ），（ii）に示す片面又は両面のＲＧＢチップＬＥＤを用いることができる。
また、図７（ｉ），（iii）に示す赤色ＬＥＤ１３ｂ−１と緑色ＬＥＤ１３ｂ−２は、二列に配列したが、二列に限るものではなく、例えば、図１０（ｉ），（ii）に示すように一列にして、赤色ＬＥＤ１３ｂ−１と緑色ＬＥＤ１３ｂ−２とを交互に配置することもできる。
【００７２】
さらに、図１１に示すように、ハウジング１１ｃの内部に、第一基板１２ｃ−１と第二基板１２ｃ−２とを備え、第一基板１２ｃ−１にサイドビュー仕様の白色ＬＥＤ１３ｃ−１を二列で複数個実装し、第二基板１２ｃ−２にサイドビュー仕様の赤色ＬＥＤ１３ｃ−２と緑色ＬＥＤ１３ｃ−３とを交互に一列で実装したものがある。そして、第一基板１２ｃ−１に対して第二基板１２ｃ−２を垂直に立設し、第二基板１２ｃ−２に対向する位置に、反射板１４ｃを傾斜した状態で設ける。このとき、白色ＬＥＤ１３ｃ−１の光は、拡散シート１６ｃを介して外部へ放射される。これに対し、赤色ＬＥＤ１３ｃ−２や緑色ＬＥＤ１３ｃ−３の光は、反射板１４ｃで反射した後に拡散シート１６ｃを介して外部へ放射される。この照明装置１０ｃにおいても、同じ色度又はランクの白色を発光する一種類の白色ＬＥＤ１３ｃ−１、又は、色度又はランクの異なる白色を発光する複数種類の白色ＬＥＤ１３ｃ−１を実装して、温白色などの中間色を発光させることができる。
【００７３】
なお、図１１に示す照明装置１０ｃにおいては、発光体１３ｃがサイドビュー仕様であるが、サイドビュー仕様に限るものではなく、例えば、図１２に示すように、３原色及びチップ仕様のものを用いることができる。
【００７４】
また、照明装置１０は、図１３に示すような構成とすることができる。
すなわち、照明装置１０ｄは、ハウジング１１ｄの内部に、第一基板１２ｄ−１と第二基板１２ｄ−２とを備え、第一基板１２ｄ−１に白色ＬＥＤ１３ｄ−１を二列で複数個実装し、第二基板１２ｄ−２に赤色ＬＥＤ１３ｄ−２と緑色ＬＥＤ１３ｄ−３とを交互に一列で実装してある。また、第一基板１２ｄ−１に対して第二基板１２ｄ−２を垂直方向に立設してある。
さらに、第一基板１２ｄ−１の有する面のうち白色ＬＥＤ１３ｄ−１が実装された面に対向して第一反射板１４ｄ−１が設けられている。また、第二基板１２ｄ−２の有する面のうち赤色ＬＥＤ１３ｄ−２等が実装された面に対向して第二反射板１４ｄ−２が設けられている。さらに、第二反射板１４ｄ−２に対向する位置に傾斜をもって第三反射板１３ｄ−３が設けられている。
また、ハウジング１１ｄの開口部１１ｄ−１には、拡散シート１５ｄが傾斜をもって取り付けられている。
こうした構造において、白色ＬＥＤ１３ｄ−１の光は、拡散シート１６ｄを介して外部へ放射される。これに対し、赤色ＬＥＤ１３ｄ−２や緑色ＬＥＤ１３ｄ−３の光は、反射板１４ｄで反射した後に拡散シート１６ｄを介して外部へ放射される。また、拡散シート１６ｄ自体が傾斜しているため、赤色ＬＥＤ１３ｄ−２等からの光は、白色ＬＥＤ１３ｄ−１からの光と混色しやすくなる。
【００７５】
この照明装置１０ｄにおいても、同じ色度又はランクの白色を発光する一種類の白色ＬＥＤ１３ｄ−１、又は、色度又はランクの異なる白色を発光する複数種類の白色ＬＥＤ１３ｄ−１を実装して、温白色などの中間色を発光させることができる。
また、拡散シート１６ｄが斜めに取り付けられていることから、この照明装置１０ｄを水平に取り付けた場合に、斜め方向への光の照射が可能となる。
【００７６】
なお、白色ＬＥＤ１３ｄ−１は、第一反射板１４ｄ−１を介して、基板１２ｄ−１に実装されている。
また、第二反射板１４ｄ−２は、赤色ＬＥＤ１３ｄ−２等の発光方向に設けられている。この第二反射板１４ｄ−２には、それら赤色ＬＥＤ１３ｄ−２等の設置位置に対応して窓部１４ｄ−２１が形成されている。これにより、赤色ＬＥＤ１３ｄ−２等の光は、窓部１４ｄ−２１を介して第三反射板１４ｄ−３または拡散シート１６ｄに達する。
【００７７】
そして、図１，図７〜図１３に示した照明装置１０ａ〜１０ｄは、図１４に示すように、棚什器の天板の下面に、照明方向が下方向になるように設けることができる。
この棚什器用の照明装置１０の場合、発光体１３としてレンズ付きＬＥＤを使用することができる。このレンズ付きＬＥＤは、例えば、６０度配光、４０度配光を使用する。
また、棚什器用は、ＬＥＤ光源の写り込みの心配がないものの、レンズで集光させ遠くまで光を届かせる必要があるため、パワー系ＬＥＤを使うのが望ましい。
【００７８】
［第三実施形態］
次に、本発明の照明装置（照明器具）の第三の実施形態について、図１５を参照して説明する。
同図は、本実施形態の照明装置の構成を示す図である。
本実施形態は、第一実施形態と比較して、照明装置の形状等が相違する。すなわち、第一実施形態では、長い筒状のハウジング内に発光体を複数配置し、ハウジングの開口面に取り付けられた拡散シートを介して外部に光を照射する構成としたのに対し、本実施形態では、上面が開放されたトレイ型の筐体の底面に発光体を複数配置し、その開放側に向かって光を放射する構成としてある。他の構成要素は第一実施形態と同様である。
したがって、図１５において、図１と同様の構成部分については同一の符号を付して、その詳細な説明を省略する。
【００７９】
図１５に示すように、照明装置２０ａは、全体形状として、四辺に傾斜面を有したトレイ状に形成されており、底面を構成する基板２１ａと、傾斜面を構成する反射板２２ａと、基板２１ａに実装された複数の発光体２３ａとを有している。
ここで、基板２１ａは、ほぼ正方形又は長方形に形成された板状部材である。この基板２１ａには、発光体２３ａを点灯制御するための電気配線が施されている。
【００８０】
反射板２２ａは、発光体２３ａから発せられた光を反射して外部へ放出するためのリフレクタである。
この反射板２２ａは、トレイ状の照明装置２０ａの側面傾斜部分に相当しており、四つの傾斜部材２２ａ−１（２２ａ−１１〜２２ａ−１４）を有している。
傾斜部材２２ａ−１は、底辺が基板２１ａに接合しており、ここから外側に向かって傾斜しながら立設している。
【００８１】
これら傾斜部材２２ａ−１には、底辺の両端部にそれぞれ切欠部２２ａ−２が形成されている。
傾斜部材２２ａ−１の立ち上がり内側であって切欠部２２ａ−２の近傍に、赤色ＬＥＤ２３ａ−２又は緑色ＬＥＤ２３ａ−３（後述）の発光体２３ａが配置されている。
【００８２】
なお、反射板２２ａは、全反射素材（ミラー）にエンボス加工を施した材料で形成できる。これにより、発光体２１ａからの点光源が他方向に全反射させながら、無駄な乱反射による減衰を抑えて、光源の照度の有効利用を図ることができる。そして、点状光源の広がりもあり、見た目を損なうことなく光らせることができる。
【００８３】
発光体２３ａは、例えば、ＬＥＤで構成することができる。
この発光体２３ａは、白色ＬＥＤ２３ａ−１と、赤色ＬＥＤ２３ａ−２と、緑色ＬＥＤ２３ａ−３とを有している。
白色ＬＥＤ２３ａ−１は、基板２１ａに複数実装されている。
この白色ＬＥＤ２３ａ−１の個数や配設位置は、任意に決めることができるが、例えば、図１５（ii）に示すように配置することができる。すなわち、９個の白色ＬＥＤ２３ａ−１を、四角形（同図（ii）ではダイヤ型）の四つの角部、四つの辺の各中点、四角形の中心にそれぞれ配置するようにすることができる。
【００８４】
また、白色ＬＥＤ２３ａ−１は、色度又はランクが同じ白色を発光する複数のＬＥＤを用いることができる。さらに、色度又はランクが異なる白色を発光する複数のＬＥＤを用いることができる。後者の場合は、図１６（ｉ）〜（ｖ）に示した配置パターンで配置することができる。これにより、昼光色や温白色など色温度の異なる種々の白色を発光させることができる。
すなわち、２種の色ランクの白色ＬＥＤ２３ａ−１を混色配列させ、白発泡樹脂乱反射素材の反射板２２ａを使い、混色照明させることで、温白色などの中間色を表現できる。このため、市場が求める昼光色、昼白色、白色、温白色、電球色の各光照明は、ランクの異なる３種類の白色ＬＥＤ２３ａ−１の組み合わせにより表現可能である。
【００８５】
さらに、白色ＬＥＤ２３ａ−１は、ＳＭＤタイプのＬＥＤ（チップタイプ）を使用することができる。これにより、アクリル製のカバー部３２ａ（後述）までの距離を長くできる。このことから、点状光源であるにもかかわらず、蛍光管のように、均一発光させやすい。しかも、対象物に白色光の点々ＬＥＤが写り込まない。
【００８６】
赤色ＬＥＤ２３ａ−２と緑色ＬＥＤ２３ａ−３は、基板２１ａにおける少なくとも対向する２隅付近に設けられている。具体的には、傾斜部材２２ａ−１の立ち上がり内側であって切欠部２２ａ−２の近傍に配置されている。そして、赤色ＬＥＤ２３ａ−２と緑色ＬＥＤ２３ａ−３は、切欠部２２ａ−２に向かって水平方向に発光する。これにより、白色ＬＥＤ２２ａ−１から発光された白色に赤色や緑色が混色されるため、演色性の効果を上げることができる。
また、赤色ＬＥＤ２２ａ−２や緑色ＬＥＤ２２ａ−３の点光源色イメージが対象物に写ることがなく、赤味成分又は緑成分を強くした光をトレイ内で混色することができる。
【００８７】
これら白色ＬＥＤ２３ａ−１、赤色ＬＥＤ２３ａ−２、緑色ＬＥＤ２３ａ−３は、すべてが一枚の基板２１ａに実装される。このため、複数枚の基板２１ａに数個ずつ発光体２３ａを実装した場合に比べて、製造効率を高めることができ、照明装置２０ａの構造工程を簡素化できる。さらに、実装費用を安くでき、製品コストを抑えることができる。しかも、複数枚の基板２１ａが縦方向や横方向に配置されるのではなく、一枚の基板２１ａのみが配置されるため、照明装置２０ａの厚みを薄くスリムにできる。
また、白色ＬＥＤ２３ａ−１は、パワー系ＬＥＤを用いることができる。ただし、これに伴って、ヒートシンクによる放熱が必要となる。そこで、本実施形態の照明装置２０ａは、反射板２２ａをアルミ基材で形成した。これにより、その反射板２２ａで放熱させることが可能となり、ヒートシンクを備える必要がなくなる。
【００８８】
なお、本実施形態の照明装置２０ａは、一台でも用いることができるが、複数台を並べて照明器具３０ａとして使用することもできる。
この照明器具３０ａの構成を図１７に示す。
同図に示すように、照明器具３０ａは、照明装置２０ａを複数用意し、それらを縦方向と横方向に所定数ずつ並べたものである。
【００８９】
この照明器具３０ａは、複数の照明装置２０ａと、筐体３１ａと、カバー部３２ａとを有している。
筐体３１ａは、照明装置２０ａを収容するケースである。
カバー部３２ａは、筐体３１ａの開口に載置されたアクリル製の板である。このカバー部３２ａは、例えば、乳半アクリルを用いることができる。
【００９０】
このカバー部３１ａは、表面にダイヤモンドカットが施されたものを用いることができる。これにより、光の指向性を分散させて、見た目の製品イメージを向上させることができる。
この照明器具３０ａ（照明装置２０ａ）は、例えば、図１８に示すように、屋内の天井に取り付けることができる。これにより、低コスト、省エネの照明器具３０ａ（照明装置２０ａ）を実現できる。
【００９１】
［第四実施形態］
次に、本発明の照明装置（照明器具）の第四の実施形態について、図１９を参照して説明する。
同図は、本実施形態の照明装置の構成を示す図である。
本実施形態は、第一実施形態と比較して、照明装置の形状等が相違する。すなわち、第一実施形態では、長い筒状のハウジング内に発光体を複数配置し、ハウジングの開口面に取り付けられた拡散シートを介して外部に光を照射する構成としたのに対し、本実施形態では、上面が開放された角皿型の筐体の底面に発光体を複数配置し、その開放側に向かって光を放射する構成としてある。他の構成要素は第一実施形態と同様である。
したがって、図１９において、図１と同様の構成部分については同一の符号を付して、その詳細な説明を省略する。
【００９２】
図１９に示すように、照明装置２０ｂは、全体形状として、四角形の四つの角部がその四角形の中央部よりも高くなるように各角部と中央部との間に傾斜部を有した角皿状に形成されており、底面を構成する基板２１ｂと、傾斜面を構成する反射板２２ｂと、基板２１ｂに実装された複数の発光体２３ｂとを有している。
ここで、基板２１ｂは、ほぼ正方形又は長方形に形成された板状部材である。この基板２１ｂには、発光体２３ｂを点灯制御するための電気配線が施されている。
【００９３】
反射板２２ｂは、発光体２３ｂから発せられた光を反射して外部へ放出するためのリフレクタである。
この反射板２２ｂは、角皿状の照明装置２０ｂの傾斜部分に相当しており、角部を含む三角形状に形成された四つの傾斜部材２２ｂ−１（２２ｂ−１１〜２２ｂ−１４）を有している。
傾斜部材２２ｂ−１は、底辺が基板２１ｂに接合しており、ここから角部に向かって傾斜しながら立設している。
【００９４】
これら傾斜部材２２ｂ−１には、斜面の中央部分にそれぞれ孔２２ｂ−２（２２ｂ−２１〜２２ｂ−２４）が形成されている。
傾斜部材２２ｂ−１の立ち上がり内側であって孔２２ｂ−２の近傍に、赤色ＬＥＤ２３ｂ−２又は緑色ＬＥＤ２３ｂ−３（後述）の発光体２３ｂが配置されている。
【００９５】
発光体２３ｂは、白色ＬＥＤ２３ｂ−１と、赤色ＬＥＤ２３ｂ−２と、緑色ＬＥＤ２３ｂ−３とを有している。
白色ＬＥＤ２３ｂ−１は、基板２１ｂに複数実装されている。
この白色ＬＥＤ２３ｂ−１の個数や配設位置については、第三実施形態の白色ＬＥＤ２３ａ−１の個数や配設位置と同様である。また、白色ＬＥＤ２２ｂ−１の色度又はランクについては、第三実施形態の白色ＬＥＤ２３ａ−１の色度やランクと同様である。さらに、白色ＬＥＤ２２ｂ−１として使用可能なＬＥＤの仕様は、第三実施形態の白色ＬＥＤ２３ａ−１として仕様可能なＬＥＤの仕様と同様である。このため、白色ＬＥＤ２３ｂ−１の構成等により得られる効果は、第三実施形態の白色ＬＥＤ２３ａ−１の構成等により得られる効果と同様である。
【００９６】
赤色ＬＥＤ２３ｂ−２と緑色ＬＥＤ２３ｂ−３は、傾斜部材２２ｂ−１の中央部分に形成された孔２２ｂ−２の裏側に取り付けられている。
どの傾斜部材２２ｂ−１の孔２２ｂ−２に、赤色ＬＥＤ２３ｂ−２又は緑色ＬＥＤ２３ｂ−３のいずれのＬＥＤを取り付けるかは、任意に決めることができる。例えば、対向する傾斜部材２２ｂ−１同士（傾斜部材２２ｂ−１１と２２ｂ−１３、傾斜部２２ｂ−１２と２２ｂ−１４。）が同じ色のＬＥＤとなるように配置することができる。また、隣り合う二つの傾斜部材２２ｂ−１同士（傾斜部材２２ｂ−１１と２２ｂ−１２、傾斜部２２ｂ−１３と２２ｂ−１４。）が同じ色のＬＥＤとなるように配置することができる。
そして、赤色ＬＥＤ２３ｂ−２と緑色ＬＥＤ２３ｂ−３は、孔２２ｂ−２に向かって水平方向に発光する。これにより、白色ＬＥＤ２３ｂ−１から発光された白色に赤色や緑色が混色されるため、演色性の効果を上げることができる。
また、赤色ＬＥＤ２３ｂ−２や緑色ＬＥＤ２３ｂ−３の点光源色イメージが対象物に写ることがなく、赤味成分又は緑成分を強くした光をトレイ内で混色することができる。
【００９７】
これら白色ＬＥＤ２３ｂ−１、赤色ＬＥＤ２３ｂ−２、緑色ＬＥＤ２３ｂ−３は、すべてが一枚の基板２１ｂに実装される。このため、複数枚の基板２１ｂに数個ずつ発光体２３ｂを実装した場合に比べて、製造効率を高めることができ、照明装置２０ｂの構造工程を簡素化できる。さらに、一枚の基板２１ｂにすべての発光体２３ｂをまとめて実装するため、厚みをスリムにでき、実装費用を安くでき、製品コストを抑えることができる。
また、白色ＬＥＤ２３ｂ−１は、パワー系ＬＥＤを用いることができる。ただし、これに伴って、ヒートシンクによる放熱が必要となる。そこで、本実施形態の照明装置２０ｂは、反射板２２ｂをアルミ基材で形成した。これにより、この反射板２２ｂで放熱させることが可能となり、ヒートシンクを備える必要がなくなる。
【００９８】
なお、本実施形態の照明装置２０ｂは、一台でも用いることができるが、複数台を並べて照明器具３０ｂとして使用することもできる。
この照明器具３０ｂの構成を図２０に示す。
同図に示すように、照明器具３０ｂは、照明装置２０ｂを複数用意し、それらを縦方向と横方向に所定数ずつ並べたものである。
【００９９】
この照明器具３０ｂは、複数の照明装置２０ｂと、筐体３１ｂと、カバー部３２ｂとを有している。
筐体３１ｂは、照明装置２０ｂを収容するケースである。
カバー部３２ｂは、筐体３１ｂの開口に載置されたアクリル製の板である。このカバー部３２ｂは、例えば、乳半アクリルを用いることができる。
この照明器具３０ｂ（照明装置２０ｂ）は、例えば、屋内の天井に取り付けることができる。これにより、低コスト、省エネの照明器具３０ｂ（照明装置２０ｂ）を実現できる。
【０１００】
以上、本発明の照明装置及び照明器具の好ましい実施形態について説明したが、本発明に係る照明装置及び照明器具は上述した実施形態にのみ限定されるものではなく、本発明の範囲で種々の変更実施が可能であることは言うまでもない。
例えば、上述した実施形態では、発光体として白色ＬＥＤと赤色ＬＥＤと緑色ＬＥＤを示したが、これら白色ＬＥＤ等に限定されるものではなく、例えば、黄色ＬＥＤや青色ＬＥＤなど、他の色のＬＥＤを備えることもできる。
また、第一実施形態又は第二実施形態における照明装置は、断面形状がほぼ四角形状に形成されているが、四角形状に限るものではなく、他の形状、例えば、ほぼ三角形状や多角形状であってもよい。また、四角形状においては、正方形、長方形、菱形、平行四辺形などであってもよい。
【産業上の利用可能性】
【０１０１】
本発明は、発光体としてＬＥＤを用いた照明装置に関する発明であるため、発光体をＬＥＤとする器具や装置に利用可能である。
【図面の簡単な説明】
【０１０２】
【図１】本発明の第一実施形態における照明装置の構成を示す図であって、（ｉ）は、正面図、（ii）は、径方向断面図、（iii）は、長手方向断面図である。
【図２】ＬＥＤの構造を示す縦方向断面図である。
【図３】白色ＬＥＤの色度別領域（ランク）を示すＸＹ色度図である。
【図４】図３に示したＸＹ色度図のうち白色の部分を拡大した拡大図である。
【図５】ＬＥＤを点灯させるための電気回路図である。
【図６】ＬＥＤを点灯させるための電気回路図である。
【図７】本発明の第二実施形態における照明装置の構成を示す図であって、（ｉ）は、径方向断面図、（ii）は、長手方向断面図、（iii）は、（ii）の長手方向断面図から反射板を取り除いた状態を示す図である。
【図８】本発明の第二実施形態における他の照明装置の構成を示す図であって、（ｉ）は、径方向断面図、（ii）は、長手方向断面図である。
【図９】本発明の第二実施形態におけるさらに他の照明装置の構成を示す図であって、（ｉ）は、径方向断面図、（ii）は、長手方向断面図である。
【図１０】本発明の第二実施形態におけるさらに別の照明装置の構成を示す図であって、（ｉ）は、径方向断面図、（ii）は、長手方向断面図である。
【図１１】本発明の第二実施形態における他の照明装置の構成を示す径方向断面図である。
【図１２】本発明の第二実施形態におけるさらに他の照明装置の構成を示す径方向断面図である。
【図１３】本発明の第二実施形態における別の照明装置の構成を示す径方向断面図である。
【図１４】照明装置が取り付けられた棚什器を示す側面図である。
【図１５】本発明の第三実施形態における照明装置の構成を示す図であって、（ｉ）は、上面図、（ii）は、正面図である。
【図１６】第三実施形態の照明装置に実装されるＬＥＤの配置を示す図である。
【図１７】第三実施形態の照明装置を複数備えた照明器具の構成を示す図である。
【図１８】照明装置を天井に取り付けたときの様子を示す正面図である。
【図１９】本発明の第四実施形態における照明装置の構成を示す図であって、（ｉ）は、上面図、（ii）は、正面図である。
【図２０】第四実施形態の照明装置を複数備えた照明器具の構成を示す図である。
【符号の説明】
【０１０３】
１０ａ，１０ｂ  照明装置
１１  ハウジング
１２  基板
１３  発光体
１４  反射板
１６  拡散シート
２０  照明器具
【図１】
2010027449.tif 000003
【図２】
2010027449.tif 000004
【図３】
2010027449.tif 000005
【図４】
2010027449.tif 000006
【図５】
2010027449.tif 000007
【図６】
2010027449.tif 000008
【図７】
2010027449.tif 000009
【図８】
2010027449.tif 000010
【図９】
2010027449.tif 000011
【図１０】
2010027449.tif 000012
【図１１】
2010027449.tif 000013
【図１２】
2010027449.tif 000014
【図１３】
2010027449.tif 000015
【図１４】
2010027449.tif 000016
【図１５】
2010027449.tif 000017
【図１６】
2010027449.tif 000018
【図１７】
2010027449.tif 000019
【図１８】
2010027449.tif 000020
【図１９】
2010027449.tif 000021
【図２０】
2010027449.tif 000022